(57)【要約】【課題】低コストで、かつ優れた浄化性能を有する加圧水型原子力発電所の２次系系統水浄化システムを提供することを目的とする。【解決手段】２次系系統水を蒸発させて水蒸気を発生させる蒸気発生器１１、前記水蒸気により駆動して発電を行うタービン１３、及びタービン１３を駆動させた水蒸気を冷却して復水とする復水器１４を有し、蒸気発生器１１に前記復水が戻される２次系ラインと、原水を純水装置５１により浄化して前記２次系ラインの復水器１４に供給する補給水供給設備と、を備え、蒸気発生器１１からのブローダウン水の一部又は全部を、純水装置５１にて浄化した後に復水器１４に戻す、加圧水型原子力発電所の２次系系統水浄化システム。【選択図】図１
2009162514.tif 000002
【特許請求の範囲】
【請求項１】
２次系系統水を蒸発させて水蒸気を発生させる蒸気発生器、前記水蒸気により駆動して発電を行うタービン、及び前記タービンを駆動させた水蒸気を冷却して復水とする復水器を有し、前記蒸気発生器に前記復水が戻される２次系ラインと、
原水を純水装置により浄化して前記２次系ラインの前記復水器に供給する補給水供給設備と、
を備え、
前記蒸気発生器からのブローダウン水の一部又は全部を、前記純水装置にて浄化した後に前記復水器に戻す、加圧水型原子力発電所の２次系系統水浄化システム。
【請求項２】
前記２次系ラインは、前記復水器からの復水の一部又は全部を脱塩処理する脱塩塔を有する復水脱塩装置を有し、
前記純水装置により処理したブローダウン水を、前記復水脱塩装置に復水を供給する母管に導入し、さらに前記復水脱塩装置にて処理した後に前記復水器に戻す、請求項１に記載の加圧水型原子力発電所の２次系系統水浄化システム。
【請求項３】
前記純水装置は、逆浸透膜式純水装置、又は、イオン交換膜を用いた電気式脱塩装置である、請求項１又は２に記載の加圧水型原子力発電所の２次系系統水浄化システム。
【発明の詳細な説明】
【技術分野】
【０００１】
本発明は、加圧水型原子力発電所の２次系系統水浄化システムに関する。
【背景技術】
【０００２】
加圧水型原子力発電所は、原子炉を有する１次系ラインと、１次系ラインにおいて原子炉から取り出した熱を利用して水蒸気を発生させる蒸気発生器と、蒸気発生器において発生した水蒸気を用いてタービンを駆動することにより発電する２次系ラインとを備えており、前記１次系ラインと２次系ラインとが蒸気発生器を介して分離されている。蒸気発生器は、高温、高圧の１次系系統水が導入される伝熱管を有しており、伝熱管の外部に２次系系統水が導入されていることで、１次系系統水と２次系系統水とで熱交換させることにより２次系系統水を蒸発させて高圧の水蒸気を発生させる。
【０００３】
２次系ラインでは、蒸気発生器において発生した水蒸気によりタービン駆動することにより発電を行う。タービンを駆動した後の水蒸気は、復水器にて冷却されて復水とされ、蒸気発生器に戻される。このような２次系ラインにおける２次系系統水は、塩類等の不純物や、備えられた機器及び配管の腐食による腐食生成物が含まれると、蒸気発生器においてそれらが濃縮され、蒸気発生器の伝熱管への腐食生成物の付着や、蒸気発生器内での腐食が引き起こされる。伝熱管への腐食生成物の付着は伝熱性能を低下させるうえ、伝熱管に腐食損傷を生じさせることがある。そのため、２次系ラインにおける２次系系統水の腐食防止対策が重要となる。
【０００４】
２次系ラインにおける腐食を防止する方法としては、復水（２次系系統水）にアンモニアやエタノールアミン等のアミン類、ヒドラジンを添加して２次系ライン水のｐＨを高く（例えばｐＨ９．２〜１０）保つ方法、復水器の後段に復水中に含まれる塩類等を除去する復水脱塩装置を設ける方法等が用いられている。
具体的には、図２に示すように、伝熱管１２を有する蒸気発生器１１、タービン１３、復水器１４、脱気器１７、及び給水加熱器１８を備えた２次系ラインに、複数の脱塩塔１６を有する復水脱塩装置１５を設けた浄化設備が挙げられる。蒸気発生器１１とタービン１３の間には蒸気を供給する蒸気管２１、復水器１４と復水脱塩装置１５との間には復水管２２、復水脱塩装置１５と脱気器１７との間には復水母管２４、脱気器１７と給水加熱器１８との間には復水管２５、給水加熱器１８と蒸気発生器１１との間には復水管２６が設けられ、復水管２２と復水母管２４の間には、復水を復水脱塩装置１５で処理せずに蒸気発生器１１に戻すためのバイパス管２３が設けられている。
【０００５】
この浄化設備では、復水器１４において水蒸気を冷却した復水を復水脱塩装置１５で処理することにより復水中に含まれる塩類等の不純物を除去することができる。また、復水母管２４において前記アミン類、ヒドラジンの添加が行われる。
また、蒸気発生器１１と復水器１４との間には、蒸気発生器１１において濃縮された２次系系統水を一部ブローダウンして復水器１４に流入させる処理水管２７が設けられており、ブローダウン水を復水脱塩装置１５にて処理して蒸気発生器１１に戻すことが行われている。また、処理水管２７に流出管２８が設けられ、ブローダウン水を２次系ライン外に排出することも行われている。
【０００６】
しかし、このような浄化設備では、腐食を防ぐためにｐＨを高く保つと復水脱塩装置１５への負荷が大きくなり、脱塩塔の再生処理を頻繁に行う必要がでてくるため、運転に必要な作業が煩雑になるほか、再生処理に伴う廃棄物が増加してしまう。
そのため、復水脱塩装置をバイパスし、さらに処理水管２７に電気式脱塩装置を設けて、ブローダウン水を処理した後に復水器に導入させる浄化設備が示されている（特許文献１）。
【特許文献１】特開平１１−４７５６０号公報
【発明の開示】
【発明が解決しようとする課題】
【０００７】
しかし、特許文献１のような浄化設備では、処理水管におけるブローダウン水は高温、高圧であるため、電気式脱塩装置で処理するにはその前段に大型の熱交換器を設置してブローダウン水の水温を下げる必要があり、該熱交換器の設置コストが膨大になる。また、仮に熱交換器を設置したとしても冷却後のブローダウン水が復水と比べて高温であることに変わりはなく、耐熱性及び耐圧力性に配慮した特殊な仕様の電気式脱塩装置を設置する必要がある。このような仕様の電気式脱塩装置を多数設置する必要があるため、当該熱交換器の設置コストと合わせると非常に高コストの設備となる。
そのため、従来の加圧水型原子力発電所に用いた場合であっても設備コストが低く抑えられ、かつ浄化性能の高い２次系系統水の浄化システムが望まれている。
【０００８】
そこで本発明は、低コストで、かつ優れた浄化性能を有する加圧水型原子力発電所の２次系系統水浄化システムを目的とする。
【課題を解決するための手段】
【０００９】
本発明の加圧水型原子力発電所の２次系系統水浄化システムは、２次系系統水を蒸発させて水蒸気を発生させる蒸気発生器、前記水蒸気により駆動して発電を行うタービン、及び前記タービンを駆動させた水蒸気を冷却して復水とする復水器を有し、前記蒸気発生器に前記復水が戻される２次系ラインと、原水を純水装置により浄化して前記２次系ラインの前記復水器に供給する補給水供給設備と、を備え、前記蒸気発生器からのブローダウン水の一部又は全部を、前記純水装置にて浄化した後に前記復水器に戻す浄化システムである。
【００１０】
また、本発明の２次系系統水浄化システムにおいては、前記２次系ラインは、前記復水器からの復水の一部又は全部を脱塩処理する、複数の脱塩塔を有する復水脱塩装置を有し、前記純水装置により処理したブローダウン水を、前記復水脱塩装置に復水を供給する母管に導入し、さらに前記復水脱塩装置にて処理した後に前記復水器に戻すことが好ましい。
また、前記純水装置は、逆浸透膜式純水装置、又は、イオン交換膜を用いた電気式脱塩装置であることが好ましい。
【発明の効果】
【００１１】
本発明の浄化システムによれば、低コストで、加圧水型原子力発電所の２次系系統水を高度に浄化することができる。
【発明を実施するための最良の形態】
【００１２】
以下、本発明の加圧水型原子力発電所の２次系系統水浄化システムの一実施形態例を、図１に基づいて詳細に説明する。
本発明における２次系系統水浄化システムは、原子炉を有する１次系ライン（図示せず）と、蒸気発生器により１次系ラインと分離されており、前記蒸気発生器より供給される水蒸気により発電を行う２次系ラインとを有する加圧水型原子力発電所の２次系ラインにおける２次系系統水を浄化するシステムである。
ここで、本発明において２次系ラインとは、蒸気発生器より発生した水蒸気を利用してタービンを駆動して発電を行い、タービン駆動後の水蒸気を冷却して復水とした後、その復水を加熱して給水として蒸気発生器に戻す循環ラインを意味する。また、２次系系統水とは、前記水蒸気、復水、給水を含めた２次系ラインを循環する水を意味する。
【００１３】
具体的には、本実施形態の２次系ラインとしては、図１に示すように、蒸気発生器１１、タービン１３、復水器１４、脱気器１７、及び給水加熱器１８が備えられている。また、本発明の２次系系統水浄化システムは、この２次系ラインにおける復水を脱塩するための復水脱塩装置１５を有している。
蒸気発生器１１とタービン１３とが蒸気管２１で連結されており、復水器１４と復水脱塩装置１５とが復水管２２で連結されており、復水脱塩装置１５と脱気器１７とが復水母管２４で連結されており、脱気器１７と給水加熱器１８とが復水管２５で連結されており、給水加熱器１８と蒸気発生器１１とが復水管２６で連結されている。また、復水管２２と復水母管２４の間にはバイパス管２３が設けられている。また、復水管２２には復水ポンプ３１が設置されており、復水管２５には給水ポンプ３３が設置されている。また、バイパス管２３には弁３２が設置されている。
また、本実施形態の浄化システムでは、蒸気発生器１１と復水器１４とが処理水管２７で連結されており、処理水管２７には流出管２８が連結されている。
【００１４】
蒸気発生器１１は、内部に伝熱管１２を有しており、１次系ラインにおいて原子炉から熱を取り出すことにより高温、高圧とした１次系系統水が伝熱管１２内部に導入され、伝熱管１２外部に２次系系統水が導入されることにより、１次系系統水と２次系系統水との熱交換により２次系系統水が蒸発して水蒸気が発生する。
【００１５】
タービン１３には発電機（図示せず）が連結されており、蒸気発生器１１において発生した水蒸気によりタービン１３が駆動することにより発電が行われる。
復水器１４は、タービン１３に連結されており、タービン１３を駆動した後の水蒸気を冷却して復水とする装置である。
【００１６】
復水脱塩装置１５は、１塔又は複数塔の脱塩塔１６を有しており、これら脱塩塔１６により復水の脱塩処理を行う。
復水脱塩装置１５では、復水管２２に母管２９ａが連結されており、母管２９ａに弁３４が設置されている。母管２９ａは、復水管２２から復水の一部又は全部を、枝管２９ｃを通して各脱塩塔１６に分配する配管である。母管２９ａと各脱塩塔１６とは枝管２９ｃで連結されており、各枝管２９ｃには弁３６が設置されている。
また、脱塩塔１６と母管２９ｂとが枝管２９ｄで連結されており、各枝管２９ｄに弁３７が設置されている。また、母管２９ａと母管２９ｂとが循環ライン２９ｅにより連結されており、循環ライン２９ｅに循環ポンプ７４が設置されている。
【００１７】
脱塩塔１６は、加圧水型原子力発電所において通常用いられるものを用いることができる。復水脱塩装置１５としては、複数の脱塩塔１６を備え、そのうち１塔もしくは２塔以上をＨ−ＯＨ形での運用に限定し、残りの脱塩塔１６をアミン形で運用するようにすることもできる。これにより、定検後クリーンアップ開始からタービン起動後の一定時間経過するまでの間のイオン負荷が高い期間をＨ−ＯＨ形の脱塩塔１６で運用し、それ以降をアミン形の脱塩塔１６で運用することで、アミン形の脱塩塔１６へのイオン負荷を低減することができ、脱塩塔１６の再生頻度を抑制できる。
【００１８】
脱気器１７は、復水器１４からバイパス管２３を通って送られてきた復水及び復水脱塩装置１５により処理された復水を脱気する装置である。また、給水加熱器１８は、脱気器１７から送られてきた復水を加熱する装置である。
【００１９】
また、本発明の２次系系統水浄化システムにおいては、原水を浄化して２次系ラインの復水器に供給する補給水供給設備が設けられている。
補給水供給設備は、原水を浄化する純水装置５１と、純水装置５１にて浄化された純水を貯蔵する２次系純水タンク５２を有する。また、純水装置５１に原水管６１が連結され、純水装置５１と２次系純水タンク５２とが純水管６２で連結されており、２次系純水タンク５２と復水器１４とが純水管６３で連結されている。また、純水管６３には弁７１が設置されている。また、原水管６１の他端は通常、濾過水タンク（図示せず）に連結されている。これにより、２次系ラインの復水器に原水を浄化した純水が供給される。
具体的には、原水管６１を通じて供給される原水が純水装置５１にて浄化された後、得られた純水が純水管６２を通じて２次系純水タンク５２に貯蔵され、その純水が適宜２次系純水タンク５２から純水管６３を通じて復水器１４に供給される。これにより、蒸気発生器１１において２次系系統水が濃縮された濃縮水がブローダウン水として２次系ライン外に排出されるのと同量の純水が２次系ラインに補給され、２次系系統水の量が一定に保たれる。
原水としては、通常、海水等を濾過して濾過水タンクに貯蔵されている濾過水が用いられる。
【００２０】
また、純水管６３は弁７１よりも２次系純水タンク５２側で純水管６４に分岐しており、純水管６４の他端は復水脱塩装置１５の母管２９ａに連結されている。また、純水管６３の弁７１よりも復水器１４側と母管２９ｂとが純水管６５で連結されている。純水管６４には弁７２が設置されており、純水管６５には弁７３が設置されている。
【００２１】
また、本発明の２次系系統水浄化システムでは、蒸気発生器１１からのブローダウン水を２次系ライン外に排出する流出管２８と、純水装置５１の原水供給側にある原水管６１とがブローダウン水循環ライン４１（以下、循環ライン４１という）で連結されている。
これにより、蒸気発生器１１からのブローダウン水の一部又は全部を、純水装置の原水として用いることができ、復水器１４へと戻すことで２次系系統水として再利用することが可能となる。
循環ライン４１を原水管６１に連結する位置は、濾過水タンクが設置されている場合には、濾過水タンクと純水装置５１の間とすることが好ましい。
【００２２】
純水装置５１は、ブローダウン水を浄化できるものであればよく、逆浸透膜式純水装置、又は、イオン交換膜を用いた電気式脱塩装置であることが好ましい。これにより、従来は復水脱塩装置の再生廃液として高濃度の酸やアルカリとともに排出していたアミンやヒドラジンを、比較的塩濃度の低い濃縮水として排出することができる。このため排水処理装置におけるアミンやヒドラジンの分解処理が容易になり、発電所から放出する排水の質を飛躍的に向上させることができる。
【００２３】
逆浸透膜式純水装置は、逆浸透膜を利用した純水装置であり、従来公知の装置を用いることができる。
また、イオン交換膜を用いた電気式脱塩装置も従来公知の装置を用いることができる。イオン交換膜を用いた電気式脱塩装置としては、例えば、アニオン交換膜とカチオン交換膜とを交互に配し、これらのイオン交換膜間に脱塩室、その外側に濃縮室を形成し、これら脱塩室と濃縮室を交互に設けたものが挙げられる。また、前記脱塩室には、通常イオン交換樹脂やイオン交換繊維等のイオン交換体を充填する。これら脱塩室及び濃縮室を交互に配置したものに所定の直流高電圧を印加することにより、脱塩室に通水する原水からアニオン及びカチオンを濃縮室に移行させて浄化を行う。
【００２４】
以下、本発明の２次系系統水浄化システムの作用効果について説明する。
蒸気発生器１１の伝熱管１２内部には、１次系ラインにおいて原子炉から熱を取り出した高温、高圧の１次系系統水が導入される。また、蒸気発生器１１内の伝熱管１２外部に２次系系統水が導入されており、１次系系統水と２次系系統水との熱交換により２次系系統水が蒸発して水蒸気が発生する。
【００２５】
蒸気発生器１１により発生した水蒸気は、蒸気管２１を通じてタービン１３へと送られ、タービン１３を駆動する。タービン１３には発電機が連結されており、タービン１３が駆動することにより発電が行われる。
タービン１３を駆動した水蒸気は、タービン１３に連結された復水器１４において冷却され、復水とされる。
【００２６】
復水器１４からの復水は、その一部又は全部が復水ポンプ３１により復水管２２を通じて復水脱塩装置１５へと送られる。復水脱塩装置１５では、母管２９ａから枝管２９ｃを通じて各脱塩塔１６へと復水が送られて脱塩処理が行われる。脱塩塔１６により脱塩処理された復水は、枝管２９ｄ、母管２９ｂを通って復水母管２４へと送られ、後段の脱気器１７へと送られる。脱塩処理を行わない復水は、復水管２２と復水母管２４との間に設けられたバイパス管２３を通り、復水母管２４を通じて後段の脱気器１７へと送られる。
【００２７】
復水脱塩装置１５により脱塩処理する復水の量は、弁３２、弁３４、弁３５の開度を調節することにより調整できる。また、処理に用いる脱塩塔１６もそれぞれの脱塩塔１６の枝管２９ｃ、２９ｄに設置された弁３６、３７の開度を調節することにより決定できる。
【００２８】
バイパス管２３から送られてくる復水、及び復水脱塩装置１５により脱塩処理された復水には、復水母管２４において腐食防止のためにアンモニアやエタノールアミン等のアミン類、ヒドラジンが添加され、２次系系統水のｐＨが９．２〜１０に調整される。その後、復水は脱気器１７により脱気された後、給水ポンプ３３により給水加熱器１８に送られ、加熱された給水が蒸気発生器１１へと戻される。
【００２９】
また、蒸気発生器１１内部においては２次系系統水が濃縮されており、その一部がブローダウンされて処理水管２７に取り出され、復水器１４へと送られた後、復水脱塩装置１５により脱塩処理され、脱気器１７、給水加熱器１８を経て蒸気発生器１１に戻される。
【００３０】
また、ブローダウン水は、その一部又は全部が流出管２８より発電所外に排出される。また、２次系ラインからブローダウン水が排出される一方で、排出されたブローダウン水と同量の純水が補給水供給設備により復水器１４に供給されて２次系系統水が一定量に保たれる。
原水は原水管６１から純水装置５１に供給され、浄化されて純水となり、純水管６２を通じて２次系純水タンク５２に貯蔵される。そして、その純水が２次系純水タンク５２から純水管６３を通じて復水器１４に供給される。
【００３１】
本発明の浄化システムでは、流出管２８と純水装置５１の原水供給側の原水管６１とが循環ライン４１により連結されており、蒸気発生器１１からのブローダウン水の一部又は全部を、２次系ラインの復水器１４に純水を供給する補給水供給設備における純水装置５１の原水として使用する。
このとき、純水装置５１の原水は、ブローダウン水のみとしてもよく、ブローダウン水と従来の原水とを混合したものとしてもよい。また、発電所の運転期間中においてブローダウン水を原水として用いずに、従来の原水のみを用いる期間があっても構わない。
【００３２】
また、純水装置５１に原水として供給されて浄化されたブローダウン水は、その後、復水脱塩装置１５へと送られて脱塩処理が行われることが好ましい。これにより、ブローダウン水をさらに高度に浄化できる。また、純水装置５１による処理水を２次系純水タンク５２に貯蔵している際には、該処理水に炭酸やＮａ、ＣＬなどの不純物が溶け込むことがあるが、前述のように復水脱塩装置により脱塩処理を行うことによりそれらの不純物を除去することもできる。
具体的には、２次系純水タンク５２から純水管６３を通じて送られてきた純水（ブローダウン水が浄化されたもの）は、弁７１を閉じて、弁７２を開くことで純水管６４を通って、母管２９ａに導入される。また、弁７３が開放され、脱塩塔１６により脱塩処理された純水が、母管２９ｂから純水管６５を通って復水器１４へと供給される。このとき、弁３５を閉じておき、脱塩処理後の前記純水は全て復水器１４に戻す。このときに通水する脱塩塔１６はＨ−ＯＨ形とする。
【００３３】
純水装置５１により浄化処理した純水を復水脱塩装置１５に供給する方法としては、純水管６４を枝管２９ｃに連結することにより枝管２９ｃに導入する方法であってもよいが、前述したように母管２９ａに導入することが好ましい。これは、枝管２９ｃに導入するよりも母管２９ａに導入した方が、再生のために脱塩塔１６を切り替える際の運転操作が容易になる。また、復水脱塩装置１５内部の循環ポンプ７４を作動させて装置内で循環運転を行うことで、純水の浄化効率を向上させることができる。
【００３４】
以上説明した本発明の２次系系統水浄化システムは、加圧水型原子力発電所の２次系系統水を高度に浄化することができる。
２次系系統水を浄化するのに逆浸透膜式純水装置や、イオン交換膜を用いた電気式脱塩装置のような純水装置を用いる場合においては、処理水管２７に純水装置を設置してブローダウン水を浄化する方法があるが、この方法では純水装置に高温、高圧の大きな負荷がかかってしまう。そのため、この方法では純水装置自体の浄化性能に優れているものの、大きな負荷により膜の劣化が激しくなり、充分な浄化性能が得られないことがあり、充分な性能を得るには高頻度で膜の交換を行うか、大型の熱交換器を併設してブローダウン水を冷却する必要があった。
【００３５】
一方、本発明においては、ブローダウン水を２次系ライン外に排出する流出管２８、循環ライン４１におけるブローダウン水は常圧下にあり、また濾過水との直接混合による冷却や、復水と比べて低温の海水を用いた冷却器など低コストで効率のよい冷却手段を用いることもできる。そのため、補給水供給設備における純水装置の原水としてブローダウン水を供給しても浄化性能の低下が起こり難く、頻繁な膜交換や大型の熱交換器の併設を行うことなく高度な浄化性能が達成できる。
【００３６】
また、本発明の浄化システムは、従来の流出管２８と純水装置５１の原水管６１とを連結することにより稼動できるため、設置コストが低い。
また、従来の加圧水型原子力発電所において廃棄されていたブローダウン水を再利用できるため、廃棄物が純水装置５１の再生廃液のみとなり環境負荷を低減できる。
また、ブローダウン水は従来の原水よりも不純物の量が少なく、純水装置５１への負荷も小さくすることができるため再生頻度を抑えられる。
【００３７】
また、純水装置５１でブローダウン水を処理し、純水として回収することにより、発電所外へ排出する排水の量を大幅に削減することができ、発電所のクローズドシステム化が図れる。
また、本発明の浄化システムによれば、復水脱塩装置１５を常に通水準備の状態で保持できるため、緊急で復水器１４からの復水の全部を処理する必要が生じた場合であっても、脱塩塔１６の再生処理を行わずに速やかに脱塩処理を行うことができる。
【００３８】
尚、本発明の２次系系統水浄化システムは、図１に例示したものには限定されない。例えば、復水脱塩装置１５を設けない浄化システムであってもよく、蒸気発生器１１から復水器１４にブローダウン水を導入する処理水管２７が設置されていない浄化システムであってもよい。
【産業上の利用可能性】
【００３９】
本発明の２次系系統水浄化システムは、低コストで、高度な２次系系統水の浄化が可能であることから、加圧水型原子力発電所の２次系系統水の浄化システムとして好適に用いることができる。
【図面の簡単な説明】
【００４０】
【図１】本発明の加圧水型原子力発電所の２次系系統水浄化システムの一例を示した概略図である。
【図２】従来の加圧水型原子力発電所の２次系系統水浄化システムの一例を示した概略図である。
【符号の説明】
【００４１】
１１  蒸気発生器  １３  タービン  １４  復水器  １５  復水脱塩装置  １６  脱塩塔  ４１  ブローダウン水循環ライン  ５１  純水装置
【図１】
2009162514.tif 000003
【図２】
2009162514.tif 000004